(57)【要約】【課題】自分でベッド上から車椅子に移動することで、看護人の手を煩わすことなく、用便を自分自身で処理することができ、また、排便後は肛門部分を水洗して乾燥させることで清潔感が得られる病人用排便処理装置を提供する。【解決手段】排便後の局部洗浄機能を備え、ベッド１の側部に固定配置することができる便座付きの車椅子２と、ベッド１の側部と車椅子２の間に固定配置され、歩行困難な病人のベッドと車椅子間相互の乗り移りを可能にするにじり板３とからなり、便座付きの車椅子２は、便座５の下部にハンドル１１の操作で上下動する洗浄ノズル１２と、この洗浄ノズル１２の下部に位置する汚物収納容器１３を備え、前記洗浄ノズル１２が給水機構及び空気供給機構と接続され、水と空気の混合水及び空気の噴射が可能になり、この洗浄ノズル１２の先端が、肛門部周囲に適合する形状で開口する左右一対となるフード１４の中央部分にノズル１５を設けた船形噴射ノズル１２ａになっている。【選択図】図２
2007301331.tif 000002
【特許請求の範囲】
【請求項１】
排便後の局部洗浄機能を備え、ベッドの側部に固定配置することができる便座付きの車椅子と、ベッドの側部と車椅子を結合するように固定配置され、歩行困難な病人のベッドと車椅子間相互の乗り移りを容易に可能にする三角形のにじり板とで形成された病人用排便処理装置。
【請求項２】
車椅子本体に設けた便座の下部に、ハンドルの操作で上下動する洗浄ノズルと、この洗浄ノズルの下部に位置する汚物収納容器を設け、前記洗浄ノズルが給水機構及び空気供給機構と接続され、水と空気の混合水及び空気の噴射が可能になり、この洗浄ノズルの先端が、肛門部周囲に適合する形状で開口した左右一対となるフードの中央部分にノズルを設けた船形噴射ノズルになり、ノズルと両側フードとの隙間から汚物洗浄水は下部の容器に流下し、洗浄中は洗浄水が両側フードによって外部に流れないようになっている車椅子。
【発明の詳細な説明】
【技術分野】
【０００１】  この発明は、歩行が困難な病人が、自らベッドの近傍で排便することができるようにする病人用排便処理装置と、これに用いる排便可能な車椅子に関する。
【背景技術】
【０００２】  病人が最も不自由に感じることは排便の問題であり、特に、自由な歩行は困難ではあるが少々身体を動かせる病人においては、排便を自分自身で処理したいと思う気持ちを強くもっている。【０００３】  従来、歩行が困難な病人に対する用便時の介護は、主にオムツが使用されてきた。オムツは本人が恥ずかしがり、どうしても遠慮と辛抱をすることになり、また、看護人にとって最も時間をとられ、手が汚れることになる。【０００４】  医療機関におけるオムツの交換は、殆んど定時の間隔で行われ、排便後の処理は病人の申し出がない場合そのままになる時間が長くなり、また、オムツ交換時の拭浄など、看護人にも苦労があった。【０００５】  特に認知障害者はもとより、骨折や意識のある者でも手術などの短期間の患者も同様であった。【０００６】  上記したオムツ以外の処理方法には、臀部の下に差し込む挿入便器を使用する方法や、用便時にその都度看護人が車椅子でトイレにまで運んで行うか、室内用の洋風便器を用い、看護人が病人をこの便器上に運んで座らせることによって行われている。
【発明の開示】
【発明が解決しようとする課題】
【０００７】  しかし、上記のような従来の用便時の処理方法は、オムツの使用及びオムツ以外の処理方法の何れにおいても、必ず看護人の手を煩わすことになり、また、ベッドと車椅子や室内便器間での病人の移載には体力が必要になり、看護が重労働になる大きな要因になっている。【０００８】  また、従来の室内便器は、単に排便を容器に受けるだけの構造になっているので、排便後の拭き取りが十分に行えず不潔感が残ると共に、手を十分に使えない人の場合は、排便後の拭き取りに看護人の手を煩わせることになる。【０００９】  そこで、この発明の課題は、自由な歩行はやや困難ではあるが、少々身体を動かせる病人の場合、ベッドの側部に配置した取り外し自在の便座付車椅子に対して、ベッドの側部と便座付車椅子の間に取外し自在に設けた握りパイプ付きの長三角形のにじりプレートを介して、にじりプレートの利用と車椅子のパイプを握ることによって自分でベッド上から移動して、看護人の手を煩わすことなく車椅子便器に乗り移ることができるようにし、排便時間を気にかけることなく用を足すことができ、また、排便後は肛門部分を水洗して乾燥させることで清潔感が得られる屋内居室用の病人用排便処理装置と排便可能な車椅子を提供することにある。
【課題を解決するための手段】
【００１０】  上記のような課題を解決するため、請求項１の発明は、排便後の局部洗浄機能を備え、ベッドの側部に固定配置することができる便座付きの車椅子と、ベッドの側部と車椅子を結合するように固定配置され、歩行困難な病人のベッドと車椅子間相互の乗り移りを容易に可能にする前端に握りパイプ付きの三角形のにじり板とで形成された構成を採用したものである。【００１１】  この車椅子は、便座の後方の背中部に座り座があり、普通時は便座上に倒して蓋となし、これに座って室内移動に使用できる。【００１２】  請求項２の発明は、車椅子本体に設けた便座の下部に、ハンドルの操作で上下動する洗浄ノズルと、この洗浄ノズルの下部に位置する汚物収納容器を設け、前記洗浄ノズルが給水機構及び空気供給機構と接続され、水と空気の混合水及び空気のみの噴射が可能になり、この洗浄ノズルの先端が、肛門部周囲に適合する形状で開口した左右一対となるフードの中央部分に少し下げてノズルを設けた船形噴射ノズルになり、ノズルと両側フードとの隙間から汚物洗浄水は下部の容器に流下し、洗浄中の洗浄水は両側フードによって外部に流れないようになっている構成を採用したものである。【００１３】  ここで、車椅子において、便座を設けた車椅子本体が便座の両側上部に設けたパイプ製の手すりは、一方側方からの乗り降りが容易なように一方側は前方への突出量が少なく、他方側は長く設けられ、この車椅子は、ベッドの一方側縁で足元側の位置に、ベッドの前後方向に対して移動方向が直角となる背面向きの配置で固定配置される。【００１４】  上記ベッドと車椅子の間に固定配置したにじり板は、ベッドの一方側縁と車椅子の側部間に納まる平面的に長い三角形に形成され、病人のベッドと車椅子の間相互の乗り移りを容易にし、このにじり板は、フラットな水平の板でもよいが、座る位置に無動力のベルトコンベアを設け、病人が尻を乗せてにじるだけでベッドと車椅子の間相互の病人の移動をより円滑に行えるようにしてもよい。【００１５】  また、にじり板の前端に握りパイプがあり、このにじり板の握りパイプと車椅子のパイプ製手すりも移動の間の身体の安定を保つことになる【００１６】  上記、車椅子本体にハンドルで上下動するよう設けた洗浄ノズルは、便座の後方位置に横方向の直管を設け、この直管の中央部に、一端側が弧状に屈曲する揺動パイプを左右水平に少し動くように弾力的に取付け、揺動パイプの下方後端を給水機構及び空気供給機構と接続させ、上方の揺動パイプの先端にゴム管を介して船形噴射ノズルを取付けて形成され、揺動パイプを上にあげて船形噴射ノズルを臀部の凹部に当てた場合、僅かな水平移動をなし、また、先端のゴム管との相乗効果によって、臀部の局部形状に自動的に合うようになっている。【００１７】  上記給水機構は、水タンクと送水ポンプからなり、また、空気供給機構は送風機によって形成され、送水ポンプの吐出口につながる送水パイプと、送風機の吐出口につながる送気パイプを混合部で接続し、かつ、混合部と上下動するＲ状揺動パイプと接続し、洗浄ノズルによる水と空気の混合水及び乾燥時に空気の噴射が可能になっている。
【発明の効果】
【００１８】  この発明によると、ベッドの側部に固定配置した便座付きの車椅子とベッドの側部との間に、ベッドと車椅子間相互の乗り移りを可能にするにじり板を設けたので、自由な歩行は困難ではあるが少々身体を動かせる病人の場合、自分でベッド上からにじり板に尻を乗せてにじりながら、にじり板の握りパイプや車椅子のパイプ製手すりを握り、身体の安定を保ちながら便座付きの車椅子に移動することができ、介護者の手を煩わすことなく用便を自分自身で処理することが可能になり、病人の用便に対する負担の気持ちを和らげると共に、看護の省力化が図れることになる。【００１９】  また、ベッド後部の手すりに水のタンクをかけたり、どこでも移動できる車椅子に、水のタンクを設けたので、水道がなくても肛門付近の洗浄が行える機構を有し、排便後は肛門部分を水洗して乾燥させることで清潔感が得られ、手洗いが不要になり、手が十分に使えない人でも排便後において看護人に手を煩わすようなことがなくなる。
【発明を実施するための最良の形態】
【００２０】  以下、この発明の実施の形態を添付図面に基づいて説明する。【００２１】  図１のように、病人用排便処理装置は、ベッド１の側部に配置される便座付きの車椅子２と、ベッド１の側部と車椅子２の間に固定配置され、歩行困難な病人のベッド１と車椅子２間相互の乗り移りを可能にするにじり板３とで形成されている。【００２２】  上記便座付きの車椅子２は、図１と図２のように、便孔４が開口する便座５を設けた車椅子本体６がパイプを用いて組み立てられて車輪７で移動できるように構成され、便座５の両側上部に設けたパイプ製の手すり８と９は、一方側方からの乗り降りが容易なようににじり板３側の手すり８は前方への突出量が少なく、反対側の手すり９は長く設けられ、この車椅子２は、ベッド１の一方側縁で足元側の位置に、ベッド１の前後方向に対して移動方向が直角となる背面向きの配置でベッド１に固定化される。この両者の関係は、ベッド１の反対側に変えられる。【００２３】  上記にじり板３は、ベッド１の一方側縁と車椅子２の側部間に納まる平面三角形に形成され、病人のベッド１と車椅子２の間相互の乗り移りを容易にするためのものであり、図１のような、フラットな水平の板でもよいが、図６のように、座る位置に無動力のベルトコンベア１０を設け、このベルトの底板は滑りやすいビニールや磨き鉄板となし、このペルトコンベア１０の上に座ることでにじり動作が軽い力で行えるようになり、このベルトコンベア１０をごく低速の電動式とし、端部に座ったのをセンサーで検出して回動と停止を自動的に行うようにすれば、ベッド１と車椅子２の間相互の病人の移動がより円滑に行えるようになる。【００２４】  上記便座付きの車椅子２には、車椅子本体６に設けた便座５の下部後方位置に、ハンドル１１の操作で上下動する洗浄ノズル１２と、この洗浄ノズル１２の下部に位置する着脱自在の汚物収納容器１３を設け、前記洗浄ノズル１２が後述する給水機構及び空気供給機構と、ハンドル１１で上下動するＲ状揺動パイプやゴム管を介して接続され、水と空気の混合水及び空気の噴射が可能になり、この洗浄ノズル１２の先端が、肛門部周囲に適合する形状で開口する左右一対となるフード１４の中央部分にノズル１５を設けた船形噴射ノズル１２ａになっている。【００２５】  上記洗浄ノズル１２は、図１乃至図４のように、便座５の後方位置に横方向の直管１６を軸受けの支持で回転可能に設け、この直管１６の中央部に一端側が弧状に屈曲するＲ付揺動パイプ１７を直交状に、相互固定で不流通にて交差する貫通状となるよう、直管１６の軸方向に少しの範囲で移動可能となるよう取付け、直管１６の内部に組み込んだ両側の押しバネ１８で揺動パイプ１７を弾力的に挟むことによって左右水平の少しの揺動を可能に保持し、そのＲ付き揺動パイプ１７の下方後端を給水機構１９及び空気供給機構２０と結合し、揺動パイプ１７の上端に上方ゴム管２１を介して洗浄ノズル１２を取換え可能に接続して形成され、直管１６の一方又は両端部に固定したハンドル１１を上下回動させると、便座５の下で洗浄ノズル１２が上下動するようになっている。【００２６】  図７のように、上記給水機構１９は、水タンク２２と送水ポンプ２３からなり、また、空気���給機構２０は送風機２０ａによって形成され、前記送水ポンプ２３や送風機２０ａは電源ボックス２４で給電して作動させ、送水ポンプ２３の吐出口につながる送水パイプ２３ａと、送風機２０ａの吐出口につながる送気パイプ２０ｂを混合部２５で接続し、かつ、混合部２５と上記洗浄ノズル１２をパイプとゴム管２１で接続し、洗浄ノズル１２による水と空気の混合水及び空気のみの噴射が、ハンドル１１に設けた公知の電気スイッチにより行われる。また、タイマーで制御してもよい。【００２７】  上記洗浄ノズル１２のフード１４の中央部分に位置するノズル１５は、上面が円弧状に凹入した板状であり、軸心を貫通するノズル孔１５ａは内周に螺旋溝１５ｂが形成され、水と空気の混合が更に確実に行われるようになっており、この水と空気の混合水は汚れの洗浄効果が優れている。【００２８】  なお、室内における車椅子２に噴射装置を取付け．ベッド１の後部手すりに給水機構１９や空気供給機構２０を取付ける例を示したが、これらの総てを車椅子２に取付けるようにすると、車椅子２の単独使用ができ、どの病室の病人の排泄に対応することができる。【００２９】  また、洗浄ノズル１２の下部はＲ付き揺動パイプ１７の上部とねじ又はテーパーの差込みで結合し、必要に応じてその都度消毒した洗浄ノズル１２と取り換えることができる。なお、水タンク２２に設けた電源ボックス２４のトランスによって、電動部分を１２Ｖの電圧で作動させる。【００３０】  この発明の病人用排便処理装置と排便可能な車椅子は、上記のような構成であり、図１のように、車椅子２はベッド１の一方側部に背面をベッド１に向けて固定し、この車椅子２の側部とベッド１の一方側部の間に三角形のにじり板３を、ベッド１の表面高さに合わせて配置し、ベッド１上の病人が排便する場合は、ベッド１上で上半身を起こして座り、足をベッド１の一方側部から垂らして座った体勢でにじり板３上に移動し、にじり板３の握りパイプ１０ａをつかみ、このにじり板３上をにじり移動しながら車椅子２の便座５上に移動する。【００３１】  車椅子１の便座５に座った状態で排便を済ませると、ハンドル１１で洗浄ノズル１２を上昇させ、この洗浄ノズル１２の先端に設けた船形噴射ノズル１２ａは、両側フード１４の上端縁が肛門部周囲に圧接し、続いてフード１４の中央部分に少し下がった位置にあるノズル１５から水と空気が混合した洗浄水が螺旋状となって噴出し、肛門部分を洗浄する。【００３２】  上記船形噴射ノズル１２ａは、尻の凹部に当てた場合、僅かな水平移動と洗浄ノズル１２の下方のゴム管が曲がりをなして両側フード１４の上端縁が尻の局部形状に自動的に合うことになり、肛門部分を洗浄する洗浄水は、両側フード１４内の閉鎖された空間を満たすことで、肛門部周辺を効率よく洗浄することができ、また水と空気が混合した洗浄水は汚物除去効果に優れ、洗浄が確実に行える。【００３３】  また、汚物洗浄水は、ノズル１５と両側フード１４との隙間から下部の容器１３に流下し、洗浄中は洗浄水が両側フード１４によって外部に流れないため、周囲に洗浄水が飛散するようなことがなく、周辺を汚すことがない。【００３４】  洗浄水による肛門周辺の所定時間の洗浄後に、洗浄水の供給が停止してノズル１５から空気だけが所定時間だけ噴出し、この空気の吹き付けによって洗浄部分を乾燥させる。【００３５】  空気の噴出が止まると、ハンドル１１で洗浄ノズル１２を下降させ、この洗浄ノズル１２の先端に設けた船形噴射ノズル１２ａを尻から離せば、洗浄と乾燥工程が完了し、病人はこの後、車椅子２からにじり板３上に移動し、ベッド１上に戻ればよく、看護人は容器１３内の排便を処理すればよい。【００３６】  なお、水と空気のミックス水は、汚物を空気で浮かし、水で流すから効率的で、一回の洗浄に用いる水量は３００ｃｃ位でよい。従って、水道が必要なく、容量３〜４リットルの水を水タンク２２内に満たしておけばよい。【００３７】  また、乾燥用の空気は、洗浄ノズル１２と両側フード１４間を旋回するから乾燥が速いという利点がある。
【図面の簡単な説明】
【００３８】
【図１】病人用排便処理装置の全体構造を示す斜視図
【図２】車椅子の斜視図
【図３】洗浄ノズルの斜視図
【図４】（ａ）は洗浄ノズルにおける船形噴射ノズルの斜視図、（ｂ）は船形噴射ノズルの拡大した縦断斜視図、（ｃ）は船形噴射ノズルと尻の関係を示す説明図
【図５】洗浄ノズルの直管に対する取付け構造を示す断面図
【図６】コンベアを設けたにじり板の斜視図
【図７】給水機構と空気供給機構を示す斜視図
【符号の説明】
【００３９】１        ベッド
２        車椅子
３        にじり板
４        便孔
５        便座
６        車椅子本体
７        車輪
８、９    手すり
１０      ベルトコンベア
１１      ハンドル
１２      洗浄ノズル
１３      汚物収納容器
１４      フード
１５      ノズル
１６      直管
１７      Ｒ付き揺動パイプ
１８      押しバネ
１９      給水機構
２０      空気供給機構
２１      ゴム管
２２      水タンク
２３      送水ポンプ
２４      電源ボックス
２５      混合部
【図１】
2007301331.tif 000003
【図２】
2007301331.tif 000004
【図３】
2007301331.tif 000005
【図４】
2007301331.tif 000006
【図５】
2007301331.tif 000007
【図６】
2007301331.tif 000008
【図７】
2007301331.tif 000009